(57)【要約】【課題】お掃除する際にオイルキャッチの着脱を容易してお手入れ性を向上することができることを目的とする。【解決手段】ファンケーシングと通風路の端部が連接し、フィルター８の油を溜める両端部にフランジ１１を設けたオイルキャッチ１２と、オイルキャッチ１２を挟み込んで固定する固定部１３と弾性体１５で構成されたオイルキャッチ１２の固定部１３をボトムカバー６に設けたという構成にしたことにより、フランジ１１が固定部１３と弾性体１５との間に挿入し弾性体１５が固定部１３の反対側に変形しフランジ１１を押さえるので、お掃除する際にオイルキャッチ１２の着脱を容易してお手入れ性を向上することができるレンジフードを得られる。【選択図】図２
2015169359.tif 000002
【特許請求の範囲】
【請求項１】
調理器の上方に、フード外枠と渦巻状のファンケーシングの内部に遠心ファンを有する遠心送風機と、前記フード外枠の内部に設けたボトムカバーと、前記遠心送風機の吸い込み口付近の前記フード外枠の内部に設けたフィルターと、前記ファンケーシングの天板に遠心ファンを水平方向に回転させるモーターと、前記フード外枠に通風路を形成し、前記ファンケーシングと前記通風路の端部が連接し、前記フィルターの油を溜める両端部にフランジを設けたオイルキャッチと、前記オイルキャッチを挟み込んで固定する固定部と弾性体で構成されたオイルキャッチ固定部を前記ボトムカバーに設けたことを特徴としたレンジフード。
【請求項２】
弾性体のオイルキャッチを挿入する導入部分に傾斜部を設けたことを特徴とする請求項１に記載のレンジフード。
【請求項３】
弾性体をボトムカバーの内側に設けたことを特徴とする請求項１または２に記載のレンジフード。
【発明の詳細な説明】
【技術分野】
【０００１】
本発明は、ガスコンロ、電磁調理器等の厨房器具の上方に設けられ、調理時に発生する煙や熱気等を収集して屋外に排出するレンジフードに使用されるレンジフード用のオイルキャッチに関するものである。
【背景技術】
【０００２】
従来、この種のレンジフードは、フード本体の内部の内壁面にオイルキャッチをネジにて設けたものが知られている（例えば、特許文献１参照）。
【先行技術文献】
【特許文献】
【０００３】
【特許文献１】特開平７−２９３９５９号公報
【発明の概要】
【発明が解決しようとする課題】
【０００４】
このような従来のレンジフードにおいては、フード本体の内面の下方端面に直方体の油受けを設けているものが知られており、排気ファンの吸い込み口に油受けであるオイルキャッチを設けた場合ネジ等で固定されていたので、お掃除するためオイルキャッチを取り外す際ネジ等を取り外さなければならず、お手入れ性が悪かった、という課題を有していた。
【０００５】
そこで本発明は、上記従来の課題を解決するものであり、お掃除する際にオイルキャッチの着脱を容易してお手入れ性を向上することができるレンジフードを提供することを目的とする。
【課題を解決するための手段】
【０００６】
そして、この目的を達成するために、本発明は、調理器の上方に、フード外枠と渦巻状のファンケーシングの内部に遠心ファンを有する遠心送風機と、前記フード外枠の内部に設けたボトムカバーと、前記遠心送風機の吸い込み口付近の前記フード外枠の内部に設けたフィルターと、前記ファンケーシングの天板に遠心ファンを水平方向に回転させるモーターと、前記フード外枠に通風路を形成し、前記ファンケーシングと前記通風路の端部が連接し、前記フィルターの油を溜める両端部にフランジを設けたオイルキャッチと、前記オイルキャッチを挟み込んで固定する固定部と弾性体で構成されたオイルキャッチ固定部を前記ボトムカバーに設けたこととしたものであり、これにより所期の目的を達成するものである。
【発明の効果】
【０００７】
本発明によれば、調理器の上方に、フード外枠と渦巻状のファンケーシングの内部に遠心ファンを有する遠心送風機と、前記フード外枠の内部に設けたボトムカバーと、前記遠心送風機の吸い込み口付近の前記フード外枠の内部に設けたフィルターと、前記ファンケーシングの天板に遠心ファンを水平方向に回転させるモーターと、前記フード外枠に通風路を形成し、前記ファンケーシングと前記通風路の端部が連接し、前記フィルターの油を溜める両端部にフランジを設けたオイルキャッチと、前記オイルキャッチを挟み込んで固定する固定部と弾性体で構成されたオイルキャッチ固定部を前記ボトムカバーに設けた、という構成にしたことにより、フランジが固定部と弾性体の間に挿入し弾性体が固定部の反対側に変形しフランジを押さえることとなるので、お掃除する際にオイルキャッチの着脱を容易してお手入れ性を向上することができる、という効果を得ることができる。
【図面の簡単な説明】
【０００８】
【図１】本発明の実施の形態１のレンジフードの全体を示す斜視図
【図２】同レンジフードの固定部とフランジを示す詳細図
【図３】同レンジフードの固定部とフランジを示す側面図
【発明を実施するための形態】
【０００９】
本発明の請求項１記載のレンジフードは、調理器の上方に、フード外枠と渦巻状のファンケーシングの内部に遠心ファンを有する遠心送風機と、前記フード外枠の内部に設けたボトムカバーと、前記遠心送風機の吸い込み口付近の前記フード外枠の内部に設けたフィルターと、前記ファンケーシングの天板に遠心ファンを水平方向に回転させるモーターと、前記フード外枠に通風路を形成し、前記ファンケーシングと前記通風路の端部が連接し、前記フィルターの油を溜める両端部にフランジを設けたオイルキャッチと、前記オイルキャッチを挟み込んで固定する固定部と弾性体で構成されたオイルキャッチ固定部を前記ボトムカバーに設けた、という構成を有する。これにより、フランジが固定部と弾性体の間に挿入し弾性体が固定部の反対側に変形しフランジを押さえることとなるので、お掃除する際にオイルキャッチの着脱を容易してお手入れ性を向上することができる、という効果を奏する。
【００１０】
また、弾性体のオイルキャッチを挿入する導入部分に傾斜部を設けた、という構成にしてもよい。これにより、フランジが弾性体の傾斜部に接触し弾性体が変形しながらフランジが挿入されることとなるので、オイルキャッチ固定部にオイルキャッチを容易に挿入することができる、という効果を奏する。
【００１１】
また、弾性体をボトムカバーの内側に設けた、という構成にしてもよい。これにより、弾性体がボトムカバーの内側に変形することとなるので、お手入れ性を向上することができる、という効果を奏する。
【００１２】
以下、本発明の実施の形態について図面を参照しながら説明する。
【００１３】
（実施の形態１）
図１−３に示すように、ガスコンロやＩＨコンロ等の調理器（図示せず）の上方すなわち真上に設置され、方形状のフード外枠１と、渦巻状のファンケーシング２の内部にシロッコファンである遠心ファン３を有する遠心送風機４と、フード外枠１の内部にネジ５で取り付けられた金属製のボトムカバー６と、遠心送風機４の吸い込み口７付近のフード外枠１の内部のボトムカバー６に設けた例えば親水性や撥水性の塗料が塗布されたパンチングのフィルター８と、ファンケーシング２の天板（図示せず）すなわち上面に遠心ファンをボトムカバー６に対して水平方向に回転させる例えば価格が安いＡＣ製のモーターと、フード外枠１に方形状の整流板９を下方から取り付け、フード外枠１と整流板９との間すなわち全周囲から吸い込み口７までの通風路１０を形成し、ファンケーシング２の端部と通風路１０であるボトムカバー６とが連接し、調理器から油煙として上昇し付着したフィルター８の油を溜める、両端部に方形の板状であるフランジ１１を設けたオイルキャッチ１２と、オイルキャッチ１２を挟み込んで固定するボトムカバー６に対して水平方向からみるとＵ字状である固定部１３と金属製の板状を１回折り曲げた凸形状１４の弾性体１５を固定部１３の凹形状に備えたオイルキャッチ１２の固定部１３をボトムカバー６の壁側である奥に設ける。
【００１４】
そうすることで、フランジ１１が固定部１３のＵ字状の凹形状と弾性体１５の凸形状１４との間に挿入し、弾性体１５の凸形状１４が固定部１３の反対側すなわち凸形状１４がフランジ１１に押されて上昇するように変形し下方へ戻る力によりフランジ１１を押さえることとなり、お掃除する際にオイルキャッチ１２を固定部１３へ押したり引いたりするだけでオイルキャッチ１２を着脱できるので、オイルキャッチ１２の着脱を容易してお手入れ性を向上することができる。
【００１５】
また、弾性体１５にオイルキャッチ１２のフランジ１１を挿入する導入部分にフランジ１１が挿入する方向である奥側に向かって上方から下方に向かって傾斜する傾斜部１６を設ける。
【００１６】
そうすることで、フランジ１１が弾性体１５の傾斜部１６に接触し弾性体が上昇するように変形しながらフランジ１１が挿入されるので、お掃除する際にオイルキャッチ１２を固定部１３へ押したり引いたりするだけでオイルキャッチ１２をより着脱できるので、オイルキャッチ１２の固定部１３にオイルキャッチ１２を容易に挿入することができる。
【００１７】
また、弾性体１５をボトムカバー６の内側すなわちオイルキャッチ１２が取り付けられる側に設ける。
【００１８】
そうすることで、弾性体１５の凸形状１４がボトムカバー６の内側すなわち上昇するように変形し、お掃除する際にオイルキャッチ１２を固定部１３へ押したり引いたりするだけでオイルキャッチ１２を着脱できるので、お手入れ性を向上することができる。
【産業上の利用可能性】
【００１９】
本発明にかかるレンジフードは、お掃除する際にオイルキャッチの着脱を容易してお手入れ性を向上することができることを可能とするものであるので、厨房に設けている排気装置等としても有用である。
【符号の説明】
【００２０】
１    フード外枠
２    ファンケーシング
３    遠心ファン
４    遠心送風機
５    ネジ
６    ボトムカバー
７    吸い込み口
８    フィルター
９    整流板
１０  通風路
１１  フランジ
１２  オイルキャッチ
１３  固定部
１４  凸形状
１５  弾性体
１６  傾斜部
【図１】
2015169359.tif 000003
【図２】
2015169359.tif 000004
【図３】
2015169359.tif 000005